(57)【要約】【課題】カプセルなどの球体物の搬出手段として螺旋羽根を備えたスクリュー部材を用いると共に、球体物を一粒単位で容器から取り出し可能にした供給容器を提供すること。【解決手段】収容室２を有する容器本体１と、前記容器本体１の上部開口を閉塞するキャップ部材６と、回転軸７ａの長手方向に沿って連続する螺旋羽根７ｂを備えたスクリュー部材７と、前記スクリュー部材７を収容して当該スクリュー部材７の螺旋羽根７ｂを取り囲むと共に、前記スクリュー部材の回転軸７ａが前記容器本体１の底面３ａに対して所定の傾斜角度を持つように前記収容室内２に配置されたパイプ部材８と、前記キャップ部材６の上部に回動可能に突出して配置され前記スクリュー部材７の回転軸７ａに連結されて前記スクリュー部材７を前記パイプ部材８内で軸回転させる回転ノブ９が備えられる。【選択図】図１
2016210491.tif 000002
【特許請求の範囲】
【請求項１】
収容室を有する容器本体と、前記容器本体の上部開口を閉塞するキャップ部材と、回転軸の長手方向に沿って連続する螺旋羽根を備えたスクリュー部材と、前記スクリュー部材を収容して当該スクリュー部材の螺旋羽根を取り囲むと共に、前記スクリュー部材の回転軸が前記容器本体の底面に対して所定の傾斜角度を持つように前記収容室内に配置されたパイプ部材と、前記パイプ部材の下端部に形成され前記収容室内の球体物をパイプ部材内に取り込む取り込み開口と、前記パイプ部材の上端部に形成され前記容器本体に形成された排出口に連通する球体物の排出開口と、前記キャップ部材の上部に回動可能に突出して配置され前記スクリュー部材の回転軸に連結されて前記スクリュー部材を軸回転させる回転ノブを備えたことを特徴とする球体物の供給容器。
【請求項２】
前記キャップ部材上に軸回転が可能となるように操作部材が配置され、前記操作部材の内周面に形成された内歯歯車に噛み合う外歯歯車が、前記回転ノブの外周面に形成されていることを特徴とする請求項１に記載された球体物の供給容器。
【請求項３】
前記操作部材の中央部には支軸が形成され、前記キャップ部材に形成された軸受開口に対して前記支軸が装着されることで、前記操作部材がキャップ部材に対して着脱可能にかつ軸回転が可能に取り付けられ、前記キャップ部材に形成された軸受開口が、前記容器本体の収容室に連通して、前記収容室に対する球体物の補給口を形成していることを特徴とする請求項２に記載された球体物の供給容器。
【請求項４】
前記キャップ部材に回動可能に装着された回転ノブと、前記スクリュー部材の回転軸とは、十字型中間継手を介したユニバーサルジョイントにより連結されていることを特徴とする請求項１ないし請求項３のいずれか１項に記載された球体物の供給容器。
【請求項５】
前記容器本体の底面に対する前記スクリュー部材の回転軸の傾斜角度θが、４０度〜８０度の範囲に設定されていることを特徴とする請求項１ないし請求項４のいずれか１項に記載された球体物の供給容器。
【発明の詳細な説明】
【技術分野】
【０００１】
この発明は、例えば球体状になされたカプセル内に、化粧料を封入したカプセル化粧料や、芳香剤や洗浄剤などを封入したカプセルを外郭とする球体物を、一粒単位で容器から取り出し可能にした球体物の供給容器に関する。
【背景技術】
【０００２】
化粧料を小さな球体状のカプセル内に封入したカプセル化粧料や、芳香剤や洗浄剤などをカプセル内に封入した商品が提供されている。このようなカプセルを外郭としたカプセル化粧料などは、一つのカプセルに封入される化粧料などの分量の管理が容易であり、また使用残量が分かり易いなどの特質を生かして急速に普及している。
【０００３】
特許文献１には、化粧料を小さな球体状のカプセル内に封入したカプセル化粧料について開示されている。この特許文献１に開示されたカプセル化粧料は、液剤中に投入されて前記液剤と共に容器に収容されている。
したがって、容器からカプセル化粧料を取り出すには、容器の蓋体を兼ねて容器に着脱可能に取り付けられたスポイト体としてのカプセル取り出し用具が利用される。
【０００４】
すなわち、カプセル取り出し用具としての前記スポイト体には、その頭部に例えばゴム球や蛇腹体が取り付けられ、液剤中に浮遊する前記カプセル化粧料を前記ゴム球などによって与えた負圧により吸い込んで、適量のカプセル化粧料を液剤と共にスポイト体によって取り出すものである。
【０００５】
一方、特許文献２および特許文献３には、粉末や顆粒状物を収容する容器についての開示があり、この容器内には、回転軸に螺旋羽根を取り付けた排出装置が配置されている。
そして、手動によりもしくはモータの動力を利用して、前記螺旋羽根を軸回転させることにより、一定量の前記粉末等を容器内から排出できるように構成されている。
【先行技術文献】
【特許文献】
【０００６】
【特許文献１】特開平５−９２００９号公報
【特許文献２】登録実用新案第３０７４２３５号公報
【特許文献２】登録実用新案第３０７５５７５号公報
【発明の概要】
【発明が解決しようとする課題】
【０００７】
ところで、特許文献１に開示されたカプセルなどの供給容器によると、カプセル取り出し用具としてのスポイト体に対するゴム球や蛇腹体による負圧の印加度合いに応じて、スポイト体に吸い込まれるカプセル数が変動する。したがって、特許文献１に開示されたカプセル化粧料の容器によると、カプセルを一粒単位で取り出すことが難しく、カプセル単位での化粧料の使用量や残量の管理には不適当である。
【０００８】
また、特許文献２および３に開示された供給容器は、例えば砂糖やコーヒー粉末体などを対象として、一定量の前記粉末体を供給容器内から排出できるようにしようとするものである。これには、垂直に立設された螺旋羽根を軸回転させるように構成されており、螺旋羽根の軸回転によって螺旋羽根に沿って上昇した前記粉末体が、容器の上部に形成された排出口から排出されるものである。
【０００９】
特許文献２および３に開示された供給容器は、前記したとおり砂糖やコーヒー粉末体などのように、粒が小さくその表面が不規則で粗い素材を対象としたものである。
これに対して、その表面が比較的滑らかな前記したカプセルなどの球体物を対象とした場合には、垂直に立設された螺旋羽根の傾斜面に沿って球体物は自重落下する。
すなわち、カプセルなどの球体物は表面が平滑であるために、垂直に配置された螺旋羽根がたとえ軸回転しても、球体物は螺旋羽根に沿って転がりながら落下し、容器の例えば上部に形成された排出口まで、カプセルなどの球体物をせり上げて排出させることは不可能である。
【００１０】
この発明は、前記した従来の供給容器が抱える問題点を解消するためになされたものであり、容器内に収容されたカプセルなどの球体物の搬出手段として、螺旋羽根を備えたスクリュー部材を用いると共に、カプセルなどの球体物を一粒単位で容器から取り出すことを可能にした球体物の供給容器を提供することを課題とするものである。
【課題を解決するための手段】
【００１１】
前記した課題を解決するためになされたこの発明に係る球体物の供給容器は、収容室を有する容器本体と、前記容器本体の上部開口を閉塞するキャップ部材と、回転軸の長手方向に沿って連続する螺旋羽根を備えたスクリュー部材と、前記スクリュー部材を収容して当該スクリュー部材の螺旋羽根を取り囲むと共に、前記スクリュー部材の回転軸が前記容器本体の底面に対して所定の傾斜角度を持つように前記収容室内に配置されたパイプ部材と、前記パイプ部材の下端部に形成され前記収容室内の球体物をパイプ部材内に取り込む取り込み開口と、前記パイプ部材の上端部に形成され前記容器本体に形成された排出口に連通する球体物の排出開口と、前記キャップ部材の上部に回動可能に突出して配置され前記スクリュー部材の回転軸に連結されて前記スクリュー部材を軸回転させる回転ノブを備えたことを特徴とする。
【００１２】
この場合、好ましい実施の形態においては、前記キャップ部材上には軸回転が可能となるように操作部材が配置され、前記操作部材の内周面に形成された内歯歯車に噛み合う外歯歯車が、前記回転ノブの外周面に形成される。
【００１３】
さらに好ましくは、前記操作部材の中央部には支軸が形成され、前記キャップ部材に形成された軸受開口に対して前記支軸が装着されることで、前記操作部材がキャップ部材に対して着脱可能にかつ軸回転が可能に取り付けられる。そして、前記キャップ部材に形成された軸受開口が、前記容器本体の収容室に連通して、前記収容室に対する球体物の補給口を形成した構成を好適に採用することができる。
【００１４】
また、前記キャップ部材に回動可能に装着された回転ノブと、前記スクリュー部材の回転軸とは、十字型中間継手を介したユニバーサルジョイントにより連結されていることが望ましい。
【００１５】
加えて、前記容器本体の底面に対する前記スクリュー部材の回転軸の傾斜角度θは、望ましくは４０度〜８０度の範囲に設定される。
【発明の効果】
【００１６】
前記した球体物の供給容器によると、回転軸の長手方向に沿って連続する螺旋羽根を備えたスクリュー部材が、スクリュー部材の前記螺旋羽根を取り囲むパイプ部材と共に、容器本体の底面に対して前記した所定の傾斜角度を持って収容室内に配置される。
この構成によると、傾斜状態になされたパイプ部材における傾斜側の内側面と、スクリュー部材の螺旋羽根との間で、カプセルなどの球体物が自重により留まることができる。
したがって、スクリュー部材を回転させることにより、前記球体物を傾斜状態のパイプ部材内に沿ってせり上げることができ、容器本体の上部に形成された排出口から、前記球体物を一粒単位で確実に排出させることが可能となる。
【図面の簡単な説明】
【００１７】
【図１】この発明に係る球体物の供給容器の全体構成を示した斜視図および中央縦断面図である。
【図２】スクリュー部材の単体構成を示した斜視図および側面図である。
【図３】スクリュー部材を取り囲むパイプ部材の単体構成を示した側面図およびａ−ａ断面図である。
【図４】底部材の単体構成を示した斜視図および上面図である。
【図５】胴部軸体の単体構成を示した斜視図および縦断面図である。
【図６】フロント部材の単体構成を示した斜視図および縦断面図である。
【図７】キャップ部材を上面側および下面側から見た斜視図である。
【図８】ユニバーサルジョイントを構成する中継部材の単体構成を示した斜視図である。
【図９】回転ノブを上面側および下面側から見た斜視図である。
【図１０】ユニバーサルジョイントに使われる十字型中間継手の単体構成を示した斜視図である。
【図１１】キャップ部材に装着される操作部材の単体構成を示した斜視図および縦断面図である。
【図１２】底部材にスクリュー部材を組み付けた状態を示した斜視図および正面図である。
【発明を実施するための形態】
【００１８】
この発明に係る球体物の供給容器について、図に示す実施の形態に基づいて説明する。なお、以下に示す各図においては、それぞれ同一部分を同一符号で示しているが、紙面の都合により一部の図面においては、代表的な部分に符号を付け、その詳細な構成は他の図面に付けた符号を引用して説明する場合もある。
【００１９】
図１は、球体物の供給容器について、その全体構成を示したものである。この供給容器の容器本体１は透明もしくは半透明の樹脂素材によって全体が概ね円筒状に形成されており、その内部にはカプセルなどの球体物の収容室２が形成されている。この容器本体１は、円盤状の底部材３の周縁部に沿って、胴部軸体４が鉛直方向に取り付けられ、さらに胴部軸体４の前面側に形成された矩形状開口を覆うようにして、フロント部材５が取り付けられることにより構成されている。そして、胴部軸体４の円弧状の上端縁に沿って、また前記フロント部材５の直線状の上端縁を覆うようにしてキャップ部材６が取り付けられている。
【００２０】
容器本体１の収容室２内には、回転軸７ａの長手方向に沿って連続する螺旋羽根７ｂを備えたスクリュー部材７と、このスクリュー部材７を収容してスクリュー部材の螺旋羽根７ｂを取り囲むパイプ部材８が、容器本体の底面３ａに対して所定の傾斜角度θを持って配置されている。
【００２１】
そして、前記パイプ部材８の下端部には、収容室２内に投入された例えばカプセルなどの球体物（図示せず）をパイプ部材８内に取り込む取り込み開口８ａが、その下端部の一部を切り欠くことにより形成されている。またパイプ部材８の上端部には、容器本体１に形成された排出口５ｂに連通する球体物の排出開口８ｂが、パイプ部材８の上端部の一部を切り欠くことにより形成されている。
【００２２】
一方、前記したキャップ部材６には、その上部に突出した状態で回転ノブ９が配置されており、この回転ノブ９は、後述するユニバーサルジョイントを介して前記スクリュー部材７の回転軸７ａに連結されている。
そして、前記キャップ部材６には、その上面に操作部材１０が、前記回転ノブ９を覆うようにして軸回転が可能となるように取り付けられており、この操作部材１０の内周面に形成された内歯歯車１０ａに噛み合う後述する外歯歯車９ａが、前記回転ノブ９の外周面に形成されている。この構成により、前記操作部材１０を回動操作することで、回転ノブ９を介してスクリュー部材７を軸回転させることができる。
【００２３】
図２はスクリュー部材７の単体構成を示したものであり、このスクリュー部材７は前記したとおり、回転軸７ａの長手方向に沿って連続する螺旋羽根７ｂが形成されている。そして、回転軸７ａの上端部には、二股部７ｃが回転軸７ａと一体に成形されており、二股部７ｃには、それぞれ貫通孔７ｄが対向する位置に形成されている。この二股部７ｃに形成された一対の貫通孔７ｄには、図１０に示す後述する十字型中間継手１２が取り付けられてユニバーサルジョイントを構成するものとなる。
【００２４】
図３は、図２に示したスクリュー部材７の螺旋羽根７ｂを、取り囲むようにして覆うパイプ部材８を示している。このパイプ部材８には前記したとおり、その下端部に収容室２内のカプセルなどの球体物を取り込む開口８ａが、パイプ部材の一部を切り欠いた状態で形成されている。またパイプ部材８の上端部には球体物の排出開口８ｂが、同様にパイプ部材の一部を切り欠いた状態で形成されている。加えてパイプ部材８には、長手方向に沿ってスリット８ｃおよび８ｄが直線状に形成されている。
【００２５】
このパイプ部材８の下端部側に形成されたスリット８ｃは、図４に示す後述する底部材３に形成された位置決めフィン３ｄが差し込まれることにより、パイプ部材８の下端部側が収容室２内で位置決めされる。
また、パイプ部材８の中央部から上端部に向かって形成されたスリット８ｄは、図６に示す後述するフロント部材５に形成された位置決めフィン５ｅが差し込まれることにより、パイプ部材８の上端部側が収容室２内で位置決めされる。
【００２６】
図４は容器本体１の底部材３を示しており、若干厚みのある円盤状に形成された底部材３の上面には、中央部の一方から他方に向かって位置が低くなる谷線３ｂが形成されている。そして谷線３ｂの最も位置の低い箇所には、前記したパイプ部材８の下端部が挿入される傾斜された凹み部３ｃが形成されている。また傾斜された凹み部３ｃに沿って、位置決めフィン３ｄが形成されており、この位置決めフィン３ｄが、前記パイプ部材８に形成されたスリット８ｃに挿入されることで、パイプ部材８の下端部側の位置決めがなされる。さらに、傾斜された凹み部３ｃに直交する傾斜した半円状の底面には、支持孔３ｅが形成されており、この支持孔３ｅに前記スクリュー部材７の回転軸７ａの先端部が挿入されることで、スクリュー部材７は回転可能に支持される。
【００２７】
一方、前記底部材３にはその外周縁に沿って、図５に示す後述する胴部軸体４が取り付けられる環状の鍔部３ｆが形成されている。また底部材３の前面側には環状の鍔部３ｆに比較してさらに幅の広い円弧状の鍔部３ｇが形成されている。
【００２８】
図５は胴部軸体４を示しており、この胴部軸体４の基本構成は円筒状に形成され、その前面側における軸方向の上半部が削除されて矩形状開口４ａが形成されている。そして胴部軸体４の環状の下端縁４ｂが、前記した底部材３の環状の鍔部３ｆに沿って、接着剤を利用して取り付けられる。
なお、胴部軸体４の上端縁は、外周面側が削がれて薄肉部４ｃを形成しており、この薄肉部４ｃを利用して図７に示す後述するキャップ部材６が取り付けられる。
【００２９】
図６はフロント部材５を示しており、このフロント部材５は、上半部が正面に向かって平面状に形成されて、その平面部５ａの上端部中央には、収容室２内に収容されたカプセルなどの球体物の排出口５ｂが形成されている。そして排出口５ｂの直下には、平面部５ａに対して手前に傾斜した球体物の取り出し用の受け部５ｃが形成されている。
【００３０】
またフロント部材５の下半部は、円弧状に形成されてスカート部５ｄを構成しており、このスカート部５ｄが、図５に示した胴部軸体４の前面側における軸体４の内側面に沿って装着される。これにより、スカート部５ｄが、図４に示した底部材３に形成された円弧状の鍔部３ｇに装着される。そしてフロント部材５の平面部５ａが、胴部軸体４の矩形状開口４ａを覆い、前記した容器本体１が形成される。
【００３１】
なお図６（Ｂ）に示されているように、フロント部材５の排出口５ｂの内面直下には、位置決めフィン５ｅが形成されており、この位置決めフィン５ｅが、前記したパイプ部材８に形成されたスリット８ｄに挿入されることで、パイプ部材８の上端部側の位置決めがなされる。
【００３２】
図７は、キャップ部材６を示しており、このキャップ部材６は、円板面６ａの周縁に、軸方向の寸法が比較的小さな円筒部６ｂが一体に形成されている。そして、この円筒部６ｂの内周面が、図５に示した胴部軸体４の薄肉部４ｃに対して、接着剤などを利用して取り付けられている。またキャップ部材６の円板面６ａには、中央部に対してわずかに前面寄りの位置に、比較的大径の軸受開口６ｃが形成されており、この軸受開口６ｃには図１１示す後述する操作部材１０が着脱可能に取り付けられる。さらに前記軸受開口６ｃに隣接したさらに前面側には、小径の軸孔６ｄが形成されており、この軸孔６ｄは図８に示す後述する中継部材１１を回転可能に軸支するものである。
【００３３】
図８はユニバーサルジョイントを構成する中継部材１１の構成を示したものである。この中継部材１１は、円柱状の支軸１１ａを中央にして、上部に矩形部１１ｂが形成されている。また支軸１１ａの下部には二股部１１ｃが形成されて、この二股部１１ｃには、それぞれ貫通孔１１ｄが対向する位置に形成されている。
この二股部１１ｃに形成された一対の貫通孔１１ｄには、図１０に示す後述する十字型中間継手１２が取り付けられて、ユニバーサルジョイントが形成される。
【００３４】
図９は、前記したキャップ部材６の上面に突出して取り付けられる回転ノブ９を示している。この回転ノブ９の外周面には歯車（外歯歯車）９ａが形成されており、その中央部には、有底状の矩形孔９ｂが形成されている。
そして、図８に示す中継部材１１の支軸１１ａが、図７に示したキャップ部材６の軸孔６ｄに装着された状態で、有底状の矩形孔９ｂが中継部材１１の矩形部１１ｂに嵌合されることで、回転ノブ９は中継部材１１と共に、図７に示したキャップ部材６の軸孔６ｄに回転可能に取り付けられる。
【００３５】
図１０は、図８に示した中継部材１１の二股部１１ｃと、図２に示したスクリュー部材７の二股部７ｃとの間に介在されてユニバーサルジョイントを形成する十字型中間継手１２を示している。この十字型中間継手１２は、軸長の短い円柱体の周面に沿って９０度の間隔で軸体１２ａ〜１２ｄが形成されている。
そして、１８０度対向する一対の軸体１２ａ，１２ｂを、例えば図８に示した中継部材１１の一対の貫通孔１１ｄに装着し、１８０度対向する他の一対の軸体１２ｃ，１２ｄを、スクリュー部材７の一対の貫通孔７ｄに装着することで、図１２に示したようにユニバーサルジョイント１３が形成され、このユニバーサルジョイント１３を介して、回転ノブ９とスクリュー部材７とが連結される。
【００３６】
図１１は、前記したキャップ部材６の上面に装着される操作部材１０を示している。この操作部材１０は、その上面が若干球面状になされ、その内部中央には円筒状の支軸１０ｂが形成されている。この支軸１０ｂが、図７に示したキャップ部材６に形成された軸受開口６ｃに装着されることで、操作部材１０はキャップ部材６上において回転可能に、かつ軸方向に着脱可能に取り付けられる。
【００３７】
加えて、操作部材１０には前記したとおり、その内周面に内歯歯車１０ａが形成されており、中央の支軸１０ｂを利用してキャップ部材６の上面に操作部材１０を装着した場合には、前記内歯歯車１０ａが回転ノブ９の外周面に形成された外歯歯車９ａに噛み合うように構成されている。
したがって、操作部材１０を、キャップ部材６上で回動させることで、回転ノブ９が回転運動を受け、図１２に示す前記したユニバーサルジョイント１３を介して、傾斜状態のスクリュー部材７は軸回転される。
【００３８】
なお前記操作部材１０は、一体に成形された支軸１０ｂを利用して、図７に示したキャップ部材６の軸受開口６ｃに対して、軸方向に着脱可能に装着されている。したがって、キャップ部材６から操作部材１０を取り外した場合には、キャップ部材６の軸受開口６ｃを、カプセル等の球体物の投入口として利用することができる。
【００３９】
斯くして、図１に全体構成で示したとおり、キャップ部材６の軸受開口６ｃを利用して、カプセル等の球体物を収容室２内に投入した場合、収容室２内のカプセル等の球体物は、図４に示した底部材３の谷線３ｂに沿って、パイプ部材８の取り込み開口８ａに向かって誘導される。そして、操作部材１０を回動操作することで、パイプ部材８内のスクリュー部材７を軸回転させることができる。
【００４０】
この場合、図１に示す構成においては、容器本体１の底面３ａに対する前記スクリュー部材７の回転軸７ａの傾斜角度θは、６０度に設定されている。したがって、パイプ部材８の取り込み開口８ａに向かって誘導された収容室２内の図示せぬ球体物は、傾斜状態になされたパイプ部材８における傾斜側の内側面と、スクリュー部材７の螺旋羽根７ｂとの間に入り込む。そしてスクリュー部材７の回転に伴って、前記球体物はパイプ部材８の傾斜側の内側面に沿ってせり上がる。これにより容器本体１の上部に形成された排出口５ｂから、前記球体物を一粒単位で確実に排出させることができる。
【００４１】
なお容器本体１の底面３ａに対する前記スクリュー部材７の回転軸７ａの傾斜角度θは、これを大きくとる場合（すなわちθ＝９０度に近い場合）においては、冒頭において説明したとおり、カプセルなどの球体物は螺旋羽根に沿って転がりながら落下する。このために、螺旋羽根の回転によって、球体物をせり上げて排出させることは不可能である。
一方、前記傾斜角度θを所定よりも小さくとる場合には、スクリュー部材７およびパイプ部材８が、容器本体１の収容室２内において、より水平に近い状態に配置されることになり、容器本体１として偏平な形態を採用せざるを得ないなど、デザイン面で制約を受けることになる。
【００４２】
この様な理由から、前記した傾斜角度θは、実用上において実施例に示したθ＝６０度に対して±２０度の範囲、すなわちθ＝４０〜８０度の範囲に設定することが望ましい。
【００４３】
なお、カプセル等の球状物の一例として、アルギン酸塩によって形成されるカプセル中に内包される化粧料がＷ／Ｏ乳化型化粧料であって、Ｗ／Ｏ乳化型化粧料の水相中にキレート剤を少なくとも１種以上配合し、そのキレート剤の配合量が、化粧料全量に対し０．２〜２質量％である事を特徴とするカプセル入り化粧料が挙げられる。また、キレート剤として、エチレンジアミン４酢酸のモノ〜テトラナトリウム塩、ヒドロキシエチルエチレンジアミン３酢酸のトリナトリウム塩、エチドロン酸から少なくとも１つが選ばれる。その球状物を採用することにより、カプセル皮膜を除去するためのキレート剤をカプセル内に内包しつつも、カプセル皮膜が直接、キレート剤と接触しない配合が実現でき、カプセル残渣が残らない、使い勝手の良い化粧料を提供することができる。
【符号の説明】
【００４４】
１      容器本体
２      収容室
３      底部材
３ａ    底面
３ｂ    谷線
３ｅ    支持孔
４      胴部軸体
４ａ    矩形状開口
４ｃ    薄肉部
５      フロント部材
５ａ    平面部
５ｂ    排出口
５ｃ    受け部
５ｄ    スカート部
６      キャップ部材
６ａ    円板面
６ｂ    円筒部
６ｃ    軸受開口
６ｄ    軸孔
７      スクリュー部材
７ａ    回転軸
７ｂ    螺旋羽根
７ｃ    二股部
７ｄ    貫通孔
８      パイプ部材
８ａ    取り込み開口
８ｂ    排出開口
９      回転ノブ
９ａ    外歯歯車
９ｂ    矩形孔
１０    操作部材
１０ａ  内歯歯車
１０ｂ  支軸
１１    中継部材
１１ａ  支軸
１１ｂ  矩形部
１１ｃ  二股部
１１ｄ  貫通孔
１２    十字型中間継手
１３    ユニバーサルジョイント
【図１】
2016210491.tif 000003
【図２】
2016210491.tif 000004
【図３】
2016210491.tif 000005
【図４】
2016210491.tif 000006
【図５】
2016210491.tif 000007
【図６】
2016210491.tif 000008
【図７】
2016210491.tif 000009
【図８】
2016210491.tif 000010
【図９】
2016210491.tif 000011
【図１０】
2016210491.tif 000012
【図１１】
2016210491.tif 000013
【図１２】
2016210491.tif 000014